(57)【要約】【課題】本発明は、一枚のパネルで振動板を形成しても、レシーバとスピーカの２つの機能を果たすとともに、電子機器の正面と背面の両方向に音を放射することができる電子機器を提供することを目的とする。【解決手段】本発明の電子機器は、上ケース２と、この上ケース２の内部に配置されて正面側に画像を表示する画像表示部１１と、正面から背面まで一続きに配置されて画像表示部１１が正面に表示する画像を透過する透明パネル６と、上ケース２の内部に配置されたレシーバ１２ａとスピーカ１２ｂとを備え、レシーバ１２ａとスピーカ１２ｂとは、画像表示部１１と透明パネル６と上ケース２とによって形成された一の密閉空間に、電気信号に応じてそれぞれ受話用の音と拡声用の音とを放射する。【選択図】図２
2010114541.tif 000002
【特許請求の範囲】
【請求項１】
筐体と、
この筐体の内部に配置され、前記筐体の正面側に画像を表示する画像表示部と、
前記筐体の正面から背面にわたって配置され、前記画像表示部が前記筐体の正面に表示する画像を透過する透明パネルを少なくとも有するパネルと、
前記筐体の内部に配置され、前記画像表示部と前記パネルと前記筐体とによって形成された一の密閉空間に、電気信号に応じて受話用の音を放射するレシーバと、
前記筐体の内部に配置され、前記画像表示部と前記パネルとによって形成された一の密閉空間に、電気信号に応じて拡声用の音を放射するスピーカとを備えたことを特徴とする電子機器。
【請求項２】
前記筐体は、外周部と、この外周部のうち正面側の部分よりも内側に窪んだ第１の窪み部と、外周部のうち背面側の部分よりも内側に窪んだ第２の窪み部と、この第２の窪み部からさらに折り曲げられた折り曲げ部とを備え、
前記第１の窪み部は前記パネルの一端と結合し、前記第２の窪み部は前記パネルの他端と結合し、前記折り曲げ部は前記レシーバまたはスピーカと結合して、一の密閉空間を形成したことを特徴とする請求項１に記載の電子機器。
【発明の詳細な説明】
【技術分野】
【０００１】
本発明は、各種情報通信等に使用される携帯電話、ＰＤＡ、ゲーム機等の電子機器に関するものである。
【背景技術】
【０００２】
近年、画像が表示される位置と音が放射される位置とを同じにした電子機器が実現されている（例えば、特許文献１を参照）。また、複数のスピーカを筐体に一体化して、一の密閉空間で音響結合したスピーカモジュールが実現されている（例えば、特許文献２を参照）。
【特許文献１】特開２００１−１８６９３９号公報
【特許文献２】特開２００３−１５８７８７号公報
【発明の開示】
【発明が解決しようとする課題】
【０００３】
しかし、これらのスピーカモジュールや電子機器では、１枚のパネルで振動板を形成しているため、正面の一方向にしか音を放射することができず、また、複数のスピーカを筐体に一体化しても、ステレオ再生のように、スピーカの機能しか果たすことができなかった。
【０００４】
本発明の目的は、一枚のパネルで振動板を形成しても、レシーバとスピーカの２つの機能を果たすとともに、正面と背面の両方向に音を放射することができる電子機器を提供することである。
【課題を解決するための手段】
【０００５】
本発明は、筐体と、この筐体の内部に配置され、前記筐体の正面側に画像を表示する画像表示部と、前記筐体の正面から背面にわたって配置され、前記画像表示部が前記筐体の正面に表示する画像を透過する透明パネルを少なくとも有するパネルと、前記筐体の内部に配置され、前記画像表示部と前記パネルと前記筐体とによって形成された一の密閉空間に、電気信号に応じて受話用の音を放射するレシーバと、前記筐体の内部に配置され、前記画像表示部と前記パネルとによって形成された一の密閉空間に、電気信号に応じて拡声用の音を放射するスピーカとを備えたことを特徴とする。
【発明の効果】
【０００６】
本発明の電子機器によれば、一枚のパネルで振動板を形成しても、レシーバとスピーカの２つの機能を果たすとともに、電子機器の正面と背面の両方向に音を放射することができる。
【発明を実施するための最良の形態】
【０００７】
（実施の形態１）
以下、本発明を実施するための最良の形態を、図面を用いて説明する。
【０００８】
図１は、本発明の実施の形態１に係る情報端末装置である折畳み式携帯電話を開いた状態を示す正面図である。図１において示されるように、折畳み式携帯電話１は、筐体である本体ケース５を備える。本体ケース５は、筐体である上ケース２および下ケース３と、上ケース２と下ケース３とを連結する連結部４とを備える。上ケース２は、上ケース２の内部から映し出された画像を透過し、音が出力されるパネル８を備える。パネル８は、透明で上ケース２の内部を見ることができる透明パネル６と、不透明で上ケース２の内部を見ることができない不透明パネル７とを備える。下ケース３は各種スイッチ等により構成される操作部９を備える。
【０００９】
図２は、図１において線Ａ−Ａに沿う断面を矢印Ａ’の方向から見たときの断面図である。図２の左側から上ケース２を見たとき、上ケース２の正面が見える。また、図２の右側から上ケース２を見たとき、上ケース２の背面が見える。
【００１０】
図２において示されるように、上ケース２は、外周部２ａと、第１の窪み部２ｂと、第２の窪み部２ｃと、折り曲げ部２ｄとを備える。外周部２ａは、上ケース２のうち外部に露出した部分であり、正面側から背面側にわたって一続きに設けられている。第１の窪み部２ｂは、外周部２ａの正面側から内側に窪んだ部分である。第２の窪み部２ｃは、外周部２ａの背面側から内側に窪んだ部分である。折り曲げ部２ｄは、第２の窪み部２ｃからさらに折り曲げられた部分である。
【００１１】
透明パネル６と不透明パネル７とを有するパネル８は、接着剤１０によって上ケース２のうち第１の窪み部２ｂに結合されている。第１の窪み部２ｂと、パネル８とは、略平行に配置されている。
【００１２】
上ケース２の内部には、画像を表示する画像表示部１１が設けられている。画像表示部１１の上面は、透明パネル６で覆われている。画像表示部１１から映し出される画像は、この透明パネル６を介して、外部に視認可能となっている。この画像表示部１１の一端は、第１の窪み部２ｂと結合されている。
【００１３】
上ケース２の内部には、電気信号に応じて受話用の音を出力するレシーバ１２ａと、電気信号に応じて拡声用の音を出力するスピーカ１２ｂが設けられている。レシーバ１２ａとスピーカ１２ｂとは、電気回路１４から入力される電気信号に応じて振動板を振動させることで音を放射する電気機械音響変換器により構成されている。本実施形態では、パネル８がこの振動板の機能を果たす。レシーバ１２ａとスピーカ１２ｂの上面は、不透明パネル７で覆われている。レシーバ１２ａとスピーカ１２ｂとは、この不透明パネル７によって外部から視認できなくなっている。もしレシーバ１２ａやスピーカ１２ｂが視認できると、ユーザはレシーバ１２ａやスピーカ１２ｂを押したくなってしまう。したがって、不透明パネル７によって外部からレシーバ１２ａやスピーカ１２ｂを見えなくすることで、ユーザがレシーバ１２ａやスピーカ１２ｂを押したくなってしまう意識を抑えることができ、押圧によるレシーバ１２ａやスピーカ１２ｂの故障を防止することができる。
【００１４】
図２において示されるように、第１の窪み部２ｂと、第２の窪み部２ｃと、折り曲げ部２ｄと、透明パネル６と、不透明パネル７と、画像表示部１１と、レシーバ１２ａとスピーカ１２ｂとから密閉空間１３が形成されている。レシーバ１２ａ、スピーカ１２ｂのそれぞれから密閉空間１３に放出した音圧により透明パネル６と不透明パネル７からなるパネル８が振動し外部に放音する。
【００１５】
透明パネル６と不透明パネル７とからなるパネル８は、上ケース２の正面側から上端側に沿って、部分的な支え（図示せず）を設けて、背面側まで伸びている。パネル８の一端は、上ケース２の正面側で接着剤１０を介して第１の窪み部２ｂと結合する。これにより、上ケース２の外周部２ａのうち正面側の部分とパネル８の正面側の部分とを高低差なく平坦にすることができる。また、パネル８の他端は、上ケース２の背面側で接着剤１０を介して第２の窪み部２ｃと結合する。これにより、上ケース２の外周部２ａのうち背面側の部分とパネル８の背面側の部分とを高低差なく平坦にすることができる。
【００１６】
上ケース２の折り曲げ部２ｄは、第２の窪み部２ｃの端部から折り曲げられてパネル８よりも内部に配置され、スピーカ１２ｂと結合されている。なお、レシーバ１２ａとスピーカ１２ｂの配置を入れ替えてもよい。この場合、折り曲げ部２ｄは、レシーバ１２ａと結合される。また、本実施形態では、折り曲げ部２ｄは、パネル８の上端側や正面側とそれぞれ略平行になるように２回折り曲げられて設けられているが、どのように折り曲げられてもよい。
【００１７】
以上より、上ケース２と、パネル８と、画像表示部１１と、レシーバ１２ａと、スピーカ１２ｂとによって一の密閉空間１３が形成されているため、パネル８は、レシーバ１２ａやスピーカ１２ｂによって、正面側の部分でも背面側の部分でも振動することができる。したがって、レシーバ１２ａやスピーカ１２ｂは、上ケース２の正面側にも背面側にも音を放射することが可能になる。
【００１８】
これにより、受話用に正面側に音を放射するレシーバの機能と、拡声用に背面側に音を放射するスピーカの機能とを果たすだけでなく、折畳み式携帯電話１の正面と背面の両方向に音を放射することができる。さらに、一の密閉空間１３を設けたことで、外部に通じる穴がない構成となったので、レシーバとスピーカの両方の防水性を向上させることができる。
【００１９】
なお、本実施の形態では、パネル８が透明パネル６と不透明パネル７とを備えたが、レシーバ１２ａやスピーカ１２ｂが視認可能でよい場合や、別な構成によってレシーバ１２ａやスピーカ１２ｂが視認できなくなる場合、透明パネル６のみでもよい。すなわち、パネル８は、少なくとも透明パネル６を用いれば、不透明パネル７をどのように組み合わせてもよい。
【００２０】
また、本実施の形態では、防水の面で有利なため、各構成部品を結合するために接着剤１０を用いたが、嵌め込み構造等、別な手段を用いてもよい。
【産業上の利用可能性】
【００２１】
本発明は、一枚のパネルで振動板を形成しても、レシーバとスピーカの２つの機能を果たすとともに、正面と背面の両方向に音を放射することができる電子機器として有用である。
【図面の簡単な説明】
【００２２】
【図１】本発明の実施の形態１における情報端末装置を示す正面図
【図２】本発明の実施の形態１の情報端末装置の上ケースの要部断面図
【符号の説明】
【００２３】
１  情報端末装置
２  上ケース
２ａ  外周部
２ｂ  第１の窪み部
２ｃ  第２の窪み部
２ｄ  折り曲げ部
３  下ケース
４  連結部
５  本体ケース
６  透明パネル
７  不透明パネル
８  パネル
９  操作部
１０  接着剤
１１  画像表示部
１２ａ  レシーバ
１２ｂ  スピーカ
１３  密閉空間
１４  電子回路
【図１】
2010114541.tif 000003
【図２】
2010114541.tif 000004